(57)【要約】      （修正有）【課題】意匠性を備え、液漏れの心配もなく、取り扱い簡単で、製造工数も増加させることのない連結可能なボトルを提供する。【解決手段】ボトル本体２は、正面板３と背面板４が互いに平行で全体として太鼓状を呈し、正面板３の中心部には凸部１１が、背面板４の中心部には凹部２１が形成され、凸部１１の前面板１２、凹部２１の前面板２２は正面板３及び背面板４と平行で周壁部１３，２３は、いずれも前すぼみとなるテーパ面で構成され、角はＲ取りされている。各前面板１２，２２は、凸部側の方がわずかに小さい寸法のハート形で、周壁部１３，２３はいずれも傾斜角度５度とされている。ハート形はボトル本体に対して前後方向に見たときにほぼ半分の面積を占める大きさとされている。【選択図】図２
0003170230.tif 000002
【実用新案登録請求の範囲】
【請求項１】
プラスチック製の口付きボトルであって、以下の構成を一体として備えることにより、互いに連結可能としたプラスチック製ボトル。
（１）内容物を収容するボトル本体は、正面板と背面板が互いに平行で全体として太鼓状を呈すること。
（２）前記正面板の中心部にはボトル本体の外部に向かって飛び出す凸部が形成され、前記背面板の中心部にはボトル本体の内部に向かって窪んだ凹部が形成されていること。
（３）前記凸部は前記正面板と平行な前面板と該前面板の縁を取り囲む周壁部とからなり、前記凹部は前記背面板と平行な前面板と該前面板の縁を取り囲む周壁部とからなり、各周壁部は、いずれも前すぼみとなるテーパ面で構成され、前面板との接合部及び正面板又は背面板との接合部が、それぞれ面取り又はＲ取りされていること。
（４）前記凸部と前記凹部は前面板同士が同一形状とされ、前記凸部の前面板と前記凹部の前面板の寸法は、ほとんど同一で凸部側がわずかに小さくされると共に、前記周壁部の傾きはほぼ同一の傾斜角度とされていること。
（５）前記凸部及び前記凹部の各前面板は、図形の中心を一致させた真円以外の形状とされていること。
【請求項２】
さらに、以下の構成をも備えることを特徴とする請求項１記載のプラスチック製ボトル。
（６）前記凸部及び前記凹部の各前面板は、図形の中心に向かってへこむ変曲点を一つ以上備えた形状とされていること。
【請求項３】
さらに、以下の構成をも備えることを特徴とする請求項１又は２記載のプラスチック製ボトル。
（７）前記凸部及び前記凹部の各前面板が、ボトル本体に対して前後方向に見たときにほぼ半分の面積を占める大きさとされていること。
【考案の詳細な説明】
【技術分野】
【０００１】
本考案は、ボトル同士を前後方向に連結したり分離したりすることのできるプラスチック製ボトルに係り、特に、意匠性を備えさせる技術に関する。
【背景技術】
【０００２】
従来、ボトル同士を連結する手法として、図３（Ａ）〜（Ｄ）に示す様に、面ファスナで貼り合わせる手法（特許文献１）、ボトル外周に帯状に形成した蟻溝同士を上下方向に差し込み合う手法（特許文献２）、前後一方の面に段部を形成したボトル同士を段部同士を組み合わせる様に上下反転させて段部同士を当設させる手法（特許文献３）、凹凸を嵌め合わせる手法（特許文献４）が提案されている。
【先行技術文献】
【特許文献】
【０００３】
【特許文献１】特許第２７７１８４０号（図２）
【特許文献２】特許第２９９６６０５号（図１，図２）
【特許文献３】特許第３６１５１８６号（図１，図３）
【特許文献４】特開２００５−１６４５０９号（図２）
【考案の概要】
【考案が解決しようとする課題】
【０００４】
特許文献１の手法は面ファスナを貼り付ける工数が増えるという問題や、分離したときに面ファスナが意匠性を損なうという問題がある。
【０００５】
特許文献２の手法は嵌め合いが不安定であるか逆に抜き差しが困難であったり、連結しても場所を取るなど、取り扱い上の問題がある。
【０００６】
特許文献３の手法は、上下反転するため、反転させた方のボトルから内容物が漏れ出すおそれはぬぐい去れず、分離した状態での保管には場所を取るという問題がある。
【０００７】
特許文献４の手法は、凹凸がいかにも連結用のもので意匠性に欠け、また、分離したときの邪魔なイメージを生じさせるという問題がある。
【０００８】
本考案は、意匠性を備え、かつ、液漏れの心配もなく、取り扱いが簡単で、製造工数も増加させることのない連結可能なボトルを提供することを目的とする。
【課題を解決するための手段】
【０００９】
上記目的を達成するためになされた本考案は、プラスチック製の口付きボトルであって、以下の構成を一体として備えることにより、互いに連結可能としたプラスチック製ボトルである。
（１）内容物を収容するボトル本体は、正面板と背面板が互いに平行で全体として太鼓状を呈すること。
（２）前記正面板の中心部にはボトル本体の外部に向かって飛び出す凸部が形成され、前記背面板の中心部にはボトル本体の内部に向かって窪んだ凹部が形成されていること。
（３）前記凸部は前記正面板と平行な前面板と該前面板の縁を取り囲む周壁部とからなり、前記凹部は前記背面板と平行な前面板と該前面板の縁を取り囲む周壁部とからなり、各周壁部は、いずれも前すぼみとなるテーパ面で構成され、前面板との接合部及び正面板又は背面板との接合部が、それぞれ面取り又はＲ取りされていること。
（４）前記凸部と前記凹部は前面板同士が同一形状とされ、前記凸部の前面板と前記凹部の前面板の寸法は、ほとんど同一で凸部側がわずかに小さくされると共に、前記周壁部の傾きはほぼ同一の傾斜角度とされていること。
（５）前記凸部及び前記凹部の各前面板は、図形の中心を一致させた真円以外の形状とされていること。
【００１０】
本考案のプラスチック製ボトルによれば、同一形状のボトル同士を、一方の凹部に対して背面側から他方の凸部を嵌め合わせて連結することができる。このとき、連結した状態においても正面の凸部と背面の凹部はボトル１個のときと同じ様に存在し、連結によって口が複数になって奥行きが大きくなっただけであるから、見た目に落ち着きがある。また、凸部と凹部は真円以外の形状、例えば、ハート形や星形などであるから、回転してしまうことがなく連結状態が安定する。連結時には面取り又はＲ取りされていることで、凸部の先端はすぼまり、凹部の後端は広がることで、スムーズな連結操作が可能となっている。また、凸部及び凹部が同一形状で正面板及び背面板と平行な前面板を備える構成なので、分離した状態のときにも嵩張るイメージは生じ難い。そして、立てたままで互いに連結できるから、液漏れの心配を抱かせることもない。
【００１１】
ここで、本考案のプラスチック製ボトルは、さらに、以下の構成をも備えることが望ましい。
（６）前記凸部及び前記凹部の各前面板は、図形の中心に向かってへこむ変曲点を一つ以上備えた形状とされていること。
【００１２】
かかる構成は、ハート形、星形、雲形など、意匠性に富んだ形状に多く見られ、こうした意匠性に富んだ形状における上述の変曲点が、連結されたボトル同士の回転を阻止する作用をより確実に発揮させる。よって、連結状態を安定させる作用がより確実になる。
【００１３】
また、本考案のプラスチック製ボトルは、さらに、以下の構成をも備えることが望ましい。
（７）前記凸部及び前記凹部の各前面板が、ボトル本体に対して前後方向に見たときにほぼ半分の面積を占める大きさとされていること。
【００１４】
この様に、大きな面積を占めることにより、凸部や凹部が連結のための凹凸であるというイメージを払拭し、意匠として楽しませる作用が大きくなる。
【考案の効果】
【００１５】
本考案によれば、意匠性を備え、かつ、液漏れの心配もなく、取り扱いが簡単で、製造工数も増加させることのない連結可能なボトルを提供することができる。
【図面の簡単な説明】
【００１６】
【図１】実施例１のプラスチック製ボトルを複数個互いに連結した状態を示し、一部断面で表した右側面図である。
【図２】実施例１のプラスチック製ボトルを示し、（Ａ）は平面図、（Ｂ）は底面図、（Ｃ）は正面図、（Ｄ）は背面図、（Ｅ）は右側面図、（Ｆ）は中央縦端面図である。
【図３】従来技術の説明図である。
【考案を実施するための形態】
【００１７】
以下、本考案を実施するための形態を実施例で説明する。
【実施例１】
【００１８】
実施例１を図１，２に示す。実施例１は、以下の構成をダイレクトブロー成形によって一体として備えさせることにより、互いに連結可能としたプラスチック製ボトル１である。
（１）内容物を収容するボトル本体２は、正面板３と背面板４が互いに平行で全体として太鼓状を呈すること。
（２）正面板３の中心部にはボトル本体の外部に向かって飛び出す凸部１１が形成され、背面板４の中心部にはボトル本体の内部に向かって窪んだ凹部２１が形成されていること。
（３）凸部１１は正面板３と平行な前面板１２とその縁を取り囲む周壁部１３とからなり、凹部２１は背面板４と平行な前面板２２とその縁を取り囲む周壁部２３とからなり、各周壁部１３，２３は、いずれも前すぼみとなるテーパ面で構成され、前面板１２，２２との接合部、正面板３との接合部、及び背面板４との接合部は、それぞれＲ取りされていること。
（４）凸部１１と凹部２１は前面板同士が同一形状とされ、凸部１１の前面板１２の方が凹部２１の前面板２２よりも０．０５ｍｍ程度小さい寸法とされると共に、周壁部１３，２３の傾きはいずれも傾斜角度５度とされていること。
（５）凸部１１及び凹部２１の各前面板１２，２３は、図形の中心を一致させた真円以外の形状であって、（６）図形の中心に向かってへこむ変曲点を一つ以上備えた形状の内、今回はハート形とされ、（７）ボトル本体に対して前後方向に見たときにほぼ半分の面積を占める大きさとされていること。
【００１９】
このプラスチック製ボトル１によれば、図１に示す様に、同一形状のボトル同士を、一方の凹部に対して背面側から他方の凸部を嵌め合わせて連結することができる。このとき、連結した状態においても正面の凸部と背面の凹部はボトル１個のときと同じ様に存在し、連結によって口が複数になって奥行きが大きくなっただけであるから、見た目に落ち着きがある。また、凸部と凹部は真円以外の形状、例えば、ハート形や星形などであるから、回転してしまうことがなく連結状態が安定する。連結時には面取り又はＲ取りされていることで、凸部の先端はすぼまり、凹部の後端は広がることで、スムーズな連結操作が可能となっている。また、凸部及び凹部が同一形状で正面板及び背面板と平行な前面板を備える構成なので、分離した状態のときにも嵩張るイメージは生じ難い。そして、立てたままで互いに連結できるから、液漏れの心配を抱かせることもない。
【００２０】
また、大きなハート形の凸部及び凹部を備えることで、意匠性に富む。さらに、連結されたボトル同士の回転を阻止する作用が確実であって、見た目にも安心感を与える。加えて、前面板１２，２２が太鼓状のボトル本体２の正面板３及び背面板４と平行ですっきりとした印象を与える。そして、大きな面積を占めることにより、凸部や凹部が連結のための凹凸であるというイメージを払拭し、意匠として楽しませる作用が大きい。
【００２１】
以上、本考案の実施例について説明したが、本考案は上述した実施例に限られることなく、その要旨を逸脱しない範囲内において、さらに種々の態様にて実施することができる。
【００２２】
例えば、凸部及び凹部の形状は、星、雲、動物、アルファベットなど種々選択することができ、内側にへこむ変曲点のない正六角形などとしても構わない。
【産業上の利用可能性】
【００２３】
液体を収納するボトルとして利用することができる。
【符号の説明】
【００２４】
１・・・プラスチック製ボトル
２・・・ボトル本体
３・・・正面板
４・・・背面板
１１・・・凸部
１２・・・前面板
１３・・・周壁部
２１・・・凹部
２２・・・前面板
２３・・・周壁部
【図１】
0003170230.tif 000003
【図２】
0003170230.tif 000004
【図３】
0003170230.tif 000005